【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
ロール成形装置のローラーダイ組立品の軸方向変位を、上記ローラーダイ組立品が設けられたサイドプレートと相対的に、調整するための方法であって、上記ローラーダイ組立品は、それらの間にウェブを受けるように構成された第１ダイ組立品と第２ダイ組立品とを備え、
コレクタープレートを、上記第１ダイ組立品と上記第２ダイ組立品との内の一つに固定するステップと、
上記コレクタープレートを駆動機構を介して上記サイドプレートに作動可能に結合するステップと、
上記駆動装置を、選択的に作動させることで、上記コレクタープレートを上記サイドプレートに対し直交方向へ移動させ、上記駆動機構が、上記第１ダイ組立品と上記第２ダイ組立品とを回転させることなく上記コレクタープレートが移動するよう作動するステップと、
上記コレクタープレートの上記移動とともに、上記第１ダイ組立品と第２ダイ組立品との内、上記コレクタープレートに固定されない一つを、重なり合うように移動させるステップとから成ることを特徴とするロール成形装置のローラーダイ組立品の軸方向変位調整方法。
【請求項２】
上記駆動機構を、モータ及びエンコーダ装置によりコントロールするステップから成る請求項１記載のローラーダイ組立品の軸方向変位調整方法。
【請求項３】
上記コレクタープレートを、上記ローラダイ組立品の、第３ダイ組立品と第４ダイ組立品との内の一つに固定し、上記第３ダイ組立品と上記第４ダイ組立品とが、その間にウェブを受けるように構成するステップから成る請求項１記載のローラーダイ組立品の軸方向変位調整方法。
【請求項４】
上記コレクタープレートの上記移動とともに、上記第１ダイ組立品と上記第２ダイ組立品との内、上記コレクタープレートに固定されない一つを、重なり合うように移動させるステップと、
さらに、上記コレクタープレートの上記移動とともに、上記第３ダイ組立品と上記第４ダイ組立品との内、上記コレクタープレートに固定されない一つを、重なり合うように移動させるステップとから成る請求項１記載のローラーダイ組立品の軸方向変位調整方法。
【請求項５】
ロール成形装置の少なくとも二つのローラーダイ組立品の軸方向変位を、上記ローラーダイ組立品が設けられたサイドプレートと相対的に、調整するための方法であって、上記ローラーダイ組立品の各々は、それらの間にウェブを受けるように構成されたアッパーダイ組立品とロアーダイ組立品とを備え、
コレクタープレートを、上記アッパーダイ組立品と上記ロアーダイ組立品との内の一つに固定するステップと、
上記コレクタープレートを駆動機構を介し上記サイドプレートに作動可能に結合するステップと、
上記駆動装置を、選択的に作動させることで、上記コレクタープレートを上記サイドプレートに対し直交方向へ移動させ、上記駆動機構が、上記アッパーダイ組立品と上記ロアーダイ組立品とを回転させることなく上記コレクタープレートが移動するよう作動するステップと、
さらに、上記コレクタープレートの上記移動とともに、上記アッパーダイ組立品と上記ロアーダイ組立品との内、上記コレクタープレートに固定されない一つを、重なり合うように移動させるステップとから成ることを特徴とするロール成形装置の少なくとも二つのローラーダイ組立品の軸方向変位調整方法。
【請求項６】
上記駆動機構をモータ及びエンコーダ装置によりコントロールするステップから成る請求項５記載のローラーダイ組立品の軸方向変位調整方法。
【請求項７】
上記アッパーダイ組立品と上記ロアーダイ組立品との内、上記コレクタープレートに固定されない一つが、偏心軸受スリーブを備えるように形成するステップから成る請求項５記載の少なくとも二つのローラーダイ組立品の軸方向変位調整方法。
【請求項８】
ウェブ材料を、それを通るように向かわせることで漸次成形を行う可変幅ロール成形装置であって、
上記ロール成形装置の略全長に延びる第１サイドプレートと、
上記ロール成形装置の略全長に延びる第２サイドプレートとを備え、上記第１サイドプレートと、上記第２サイドプレートとが、互いに実質的に等距離で、上記ウェブの移動の軸の対向する側に方向付けられ、
上記第１サイドプレート及び上記第２サイドプレート内に形成されたアパーチャ内に配置される複数のローラーダイ組立品を備え、上記ローラーダイ組立品が、各々アッパーダイ組立品とロアーダイ組立品とを備え、
上記第１サイドプレート及び上記第２サイドプレート内の、ローラーダイ組立品間に予め決定される分離幅を選択的に変更するための調整装置を備え、上記調整装置は、上記第１サイドプレートと上記第２サイドプレートとの内の一つに配置された、上記アッパーダイ組立品と上記ロアーダイ組立品との内の一つに、固定されたコレクタープレートを備え、上記ローラー成形装置により、上記第１サイドプレート及び上記第２サイドプレート内に配置されるローラーダイ組立品間の少なくとも二つの異なる幅が定義され、その一方、上記第１サイドプレート及び上記第２サイドプレート間の上記実質的に等距離な間隔が維持され、
さらに、上記調整装置の作動により、上記コレクタープレートが、上記第１サイドプレートと上記第２サイドプレートとの内の上記一つに対し実質的に直交方向へ移動するように構成されたことを特徴とする可変幅ロール成形装置。
【請求項９】
上記ローラーダイ組立品は、アッパーダイ組立品とロアーダイ組立品とを各々備え、
上記調整装置は、上記第１サイドプレートと上記第２サイドプレートとの内の一つに配置された二つのローラーダイ組立品の、アッパーダイ組立品とロアーダイ組立品との内の一つに固定されたコレクタープレートを備え、
さらに、上記調整装置の作動により、上記コレクタープレートが、上記第１サイドプレートと上記第２サイドプレートとの内の上記一つに対し実質的に直交方向へ移動するように構成された請求項８記載の可変幅ロール成形装置。
【請求項１０】
上記ローラーダイ組立品は、アッパーダイ組立品とロアーダイ組立品とを各々備え、
上記調整装置は、上記第１サイドプレートに配置された二つのローラーダイ組立品の、アッパーダイ組立品とロアーダイ組立品との内の一つに固定された第１コレクタープレートと、上記第２サイドプレートに配置された二つのローラーダイ組立品の、アッパーダイ組立品とロアーダイ組立品とに固定された第２コレクタープレートを備えた請求項８記載の可変幅ロール成形装置。
【請求項１１】
上記第１コレクタープレートと上記第２コレクタープレートとが、上記ウェブの移動の上記軸の両側に互いに対向し設けられた請求項１０記載の可変幅ロール成形装置。
【請求項１２】
上記調整装置は、上記第１コレクタープレートと上記第１サイドプレートとを作動するように結合するための第１駆動機構と、上記第２コレクタープレートと上記第２サイドプレートとを作動するように結合するための第２駆動機構とを備えた請求項１０記載の可変幅ロール成形装置。
【請求項１３】
上記第１駆動機構と上記第２駆動機構とは、各々モータ及びエンコーダ装置を備えた請求項１２記載の可変幅ロール成形装置。
【請求項１４】
上記第１駆動機構と上記第２駆動機構とは、共通のモータ及びエンコーダ装置を備えた請求項１０記載の可変幅ロール成形装置。
【請求項１５】
上記第１駆動機構と上記第２駆動機構とは、各々ジャックスクリュー組立品を備えた請求項１３記載の可変幅ロール成形装置。
【請求項１６】
上記コレクタープレートに固定されるカムブロック組立品と、
上記アッパーダイ組立品と上記ロアーダイ組立品との内、上記コレクタープレートに固定されない一つへ、作動するように固定される第１カムローラーとを備え、上記カムローラーが、上記カムブロック組立品内に形成された溝内へスライド可能に受けられ、
さらに、上記調整装置の作動により、上記カムローラーが上記溝に沿い移動し、それにより、上記アッパーダイ組立品と上記ロアーダイ組立品との内、上記コレクタープレートに固定されない一つが、上記アッパーダイ組立品と上記ロアーダイ組立品との内、上記コレクタープレートに固定される上記一つと、重なり合うように移動するように構成された請求項８記載の可変幅ロール成形装置。
【請求項１７】
上記アッパーダイ組立品と上記ロアーダイ組立品との内、上記コレクタープレートに固定されない一つが、偏心軸受スリーブを備えた請求項８記載の可変幅ロール成形装置。